(57)【要約】【課題】和服を掛けるための和服用ハンガーを提供すること。【解決手段】和服用ハンガーは、水平方向に設けられ、その両端のそれぞれに和服の袖を通すことにより和服を袖を開いた状態で掛けることができる和服掛け用ハンガー軸と、和服を掛けた状態で室内やタンス内に吊るすためのフックとを備え、和服掛け用ハンガー軸は、和服を掛けた状態における袖の幅に対応する位置に和服掛け用ハンガー軸を前方または後方へ折り畳むための折り畳み用部材を備える。【選択図】図１
2014104072.tif 000002
【特許請求の範囲】
【請求項１】
水平方向に設けられ、その両端のそれぞれに和服の袖を通すことにより和服を袖を開いた状態で掛けることができる和服掛け用ハンガー軸と、
前記和服を掛けた状態で室内やタンス内に吊るすためのフックとを備えた和服用ハンガーであって、
前記和服掛け用ハンガー軸は、前記和服を掛けた状態における前記袖の幅に対応する位置に前記和服掛け用ハンガー軸を前方または後方へ折り畳むための折り畳み用部材を備えることを特徴とする和服用ハンガー。
【請求項２】
請求項１に記載の和服用ハンガーにおいて、
前記和服掛け用ハンガー軸の下方に前記和服掛け用ハンガー軸と平行方向に設けられ、前記和服の付属品を掛けるための付属品掛け用ハンガー軸をさらに備えることを特徴とする和服用ハンガー。
【請求項３】
請求項１または２に記載の和服用ハンガーにおいて、
前記付属品掛け用ハンガー軸に掛けた前記付属品を保持するための保持用部材をさらに備えることを特徴とする和服用ハンガー。
【請求項４】
請求項１〜３のいずれか一項に記載の和服用ハンガーにおいて、
前記和服掛け用ハンガー軸の中央に設けられ、前記和服の襟の型崩れを防止するための円弧状上の襟保持用部材をさらに備えることを特徴とする和服用ハンガー。
【請求項５】
請求項１〜４のいずれか一項に記載の和服用ハンガーにおいて、
前記和服掛け用ハンガー軸は、和服掛け用ハンガー軸の長さを調整するための長さ調整機構を有することを特徴とする和服用ハンガー。
【請求項６】
請求項１〜５のいずれか一項に記載の和服用ハンガーにおいて、
前記和服掛け用ハンガー軸は、和服掛け用ハンガー軸の両端に、小物掛け用の部材を有することを特徴とする和服用ハンガー。
【発明の詳細な説明】
【技術分野】
【０００１】
本発明は、和服用ハンガーに関する。
【背景技術】
【０００２】
次のような和服用ハンガーが知られている。例えば、引用文献１、２には、折り畳んだ状態の和服を掛けるための和服用ハンガーが開示されている。また、引用文献３，４には、着物を掛けた状態で折り畳むことができる和服用ハンガーが開示されている。
【先行技術文献】
【特許文献】
【０００３】
【特許文献１】特開平１０−１６５２８５号公報
【特許文献２】特開２００３−１１６７０１号公報
【特許文献３】実用新案登録第３０７４５４２号公報
【特許文献４】特開２００５−４０５７４号公報
【発明の概要】
【発明が解決しようとする課題】
【０００４】
しかしながら、引用文献１、２の発明では、使用者はあらかじめ和服を畳んでからハンガーに掛ける必要があるため、たとう紙に包んで保管する従来の方法と同様に着物を畳む作業が必要であり、使用者にとって手間がかかっていた。また、引用文献３の発明では、着物を畳むためには着物を掛ける際に裾掛け棒（６）に袖を掛けておく必要があり、また、引用文献４の発明では、着物を畳む際にクリップ止めをする必要がある等、必ずしも着物をハンガーに掛けた状態で簡単に折り畳んで収納することができるアイデアではなかった。
【課題を解決するための手段】
【０００５】
本発明による和服用ハンガーは、水平方向に設けられ、その両端のそれぞれに和服の袖を通すことにより和服を袖を開いた状態で掛けることができる和服掛け用ハンガー軸と、和服を掛けた状態で室内やタンス内に吊るすためのフックとを備えた和服用ハンガーであって、和服掛け用ハンガー軸は、和服を掛けた状態における袖の幅に対応する位置に和服掛け用ハンガー軸を前方または後方へ折り畳むための折り畳み用部材を備える。
本発明では、和服掛け用ハンガー軸の下方に和服掛け用ハンガー軸と平行方向に設けられ、和服の付属品を掛けるための付属品掛け用ハンガー軸をさらに備えるようにしてもよい。
付属品掛け用ハンガー軸に掛けた付属品を保持するための保持用部材をさらに備えるようにしてもよい。
和服掛け用ハンガー軸の中央に設けられ、和服の襟の型崩れを防止するための円弧状上の襟保持用部材をさらに備えるようにしてもよい。
和服掛け用ハンガー軸は、和服掛け用ハンガー軸の長さを調整するための長さ調整機構を有するようにしてもよい。
和服掛け用ハンガー軸は、和服掛け用ハンガー軸の両端に、小物掛け用の部材を有するようにしてもよい。
【発明の効果】
【０００６】
本発明によれば、和服掛け用ハンガー軸を伸ばした状態では、和服を袖を広げた状態で掛けることができるハンガーとして用いることができるとともに、和服を掛けた状態で和服掛け用ハンガー軸を前方または後方へ折り畳むだけで、袖部分を前方または後方へ折り畳んでコンパクト化することができ、そのままの状態で箪笥やクローゼットに収納をすることができる。また、袖部分を折り畳む際には、和服を掛けた状態で和服掛け用ハンガー軸を前方または後方へ折り畳むだけで良いため、使用者は、容易に和服を折り畳んでコンパクト化することができる。
【図面の簡単な説明】
【０００７】
【図１】和服用ハンガーの構成を示す図である。
【図２】和服用ハンガーを上面から見た状態を示す図である。
【図３】和服用ハンガーに着物を掛けた状態を模式的に示した図である。
【図４】和服用ハンガーに着物を掛けて袖部分を折り畳んだ状態を模式的に示した図である。
【図５】和服掛け用ハンガー軸２の両端にハートの形状を模した部材１０を取り付けた例を示す図である。
【図６】和服掛け用ハンガー軸２の長さ調整機構の一例を模式的に示した図である。
【発明を実施するための形態】
【０００８】
図１は、本実施の形態における和服用ハンガーの構成を示す図である。和服用ハンガー１は、和服掛け用ハンガー軸２と、和服掛け用ハンガー軸２を折り畳むための折り畳み用部材３と、和服用ハンガー１を室内やタンス内に吊るすためのフック４と、和服の襟の型崩れを防止するための襟保持用部材５と、帯、羽織、コートといった和服の付属品を掛けるための付属品掛け用ハンガー軸６と、付属品掛け用ハンガー軸に掛けた付属品を保持するための付属品保持用部材７とを備える。
【０００９】
和服掛け用ハンガー軸２は、和服用ハンガー１を吊した状態において、水平方向に設けられ、その両端のそれぞれに和服の袖を通すことにより和服を袖を開いた状態で掛けることができるように構成されている。和服掛け用ハンガー軸２は、後述する折り畳み用部材３により折り畳み可能な構造となっている。以下の説明では、和服掛け用ハンガー軸２における折り畳み用部材３の外側部分を袖部分２ｂと呼び、袖部分２ｂの内側部分を中心部分２ａと呼ぶこととする。
【００１０】
和服掛け用ハンガー軸２としては、例えば、プラスチック、金属、木等の材質の棒が用いられ、後述するように折り畳み用部材３により折り畳み可能となっている。なお、和服掛け用ハンガー軸２は、上記素材のいずれか一つを用いて製造されてもよいし、２つ以上の素材を組み合わせて製造するようにしてもよい。例えば、強度を確保するために、金属の棒を芯としその周囲をプラスチックで覆うようにしてもよい。これにより、全てを金属とした場合と比較して軽量化を図ることができるとともに、プラスチックの外周に色や模様を付してデザイン性を高めることもできる。
【００１１】
折り畳み用部材３は、和服掛け用ハンガー軸２に和服を掛けた状態における袖の取り付け位置に対応する位置、すなわち、和服掛け用ハンガー軸２の両端から袖の幅に対応する位置に設けられ、和服掛け用ハンガー軸２を前方または後方へ折り畳むことができるようになっている。この折り畳み用部材３としては、和服掛け用ハンガー軸２を水平方向に折り畳むための部材として、例えば蝶番を用いればよい。例えば、上述したように和服掛け用ハンガー軸２の材質を、金属を芯とし、その周囲をプラスチックで覆う構成とした場合には、和服掛け用ハンガー軸２の中心部分２ａを構成する芯の両端と、袖部分２ｂを構成する芯の一方の端とを蝶番を用いて結合させることにより、和服掛け用ハンガー軸２の中心部分２ａと袖部分２ｂとを折り畳み可能に接続するようにしてもよい。
【００１２】
本実施の形態における和服用ハンガー１は、和服掛け用ハンガー軸２を伸ばした状態では、両袖を伸ばした状態で和服を掛けることができ、和服掛け用ハンガー軸２を折り畳んだ状態では、両袖が折り畳まれるとともに、その時の和服掛け用ハンガー軸２の寸法が箪笥やクローゼットの一般的な奥行に収まる寸法となるように設計されている。具体的には、和服掛け用ハンガー軸２を折り畳み用部材３により袖部分２ｂが中心部分２ａと重なるように前方または後方へ折り畳んだときの寸法が、箪笥やクローゼットの一般的な奥行に収まるように、中心部分２ａと袖部分２ｂの寸法が設計されている。
【００１３】
例えば、和服掛け用ハンガー軸２の全長を１４１ｃｍとし、中心部分２ａと折り畳み用部材３とを合わせた長さを４７ｃｍ、袖部分２ｂをそれぞれ４７ｃｍとすれば、和服掛け用ハンガー軸２を折り畳んだときの長さが４７ｃｍとなり、一般的な箪笥やクローゼットへの収納に適した長さにすることができる。なお、ここで挙げた寸法はあくまでも一例であり、これに限定されるものではない。
【００１４】
フック４は、上述したように、和服用ハンガー１を室内やタンス内に吊るすための部材であり、先端が円弧状になっている。フック４は、例えば、金属、木、プラスチック等の素材でできている。
【００１５】
襟保持用部材５は、和服を和服用ハンガー１に掛けたときに、襟が型崩れするのを防止するための部材である。襟保持用部材５としては、人の首の後頭部側の形状を模した円弧状の部材が用いられる。例えば、和服用ハンガー１を上側から見た場合に、図２に示すように、和服掛け用ハンガー軸２の中央に設けられ、和服用ハンガー１の後方に円弧状に凸となる形状となっており、これは例えばプラスチックなどの素材を用いればよい。
【００１６】
付属品掛け用ハンガー軸６は、帯や羽織やコートなどの和服の付属品を掛けるためのハンガー軸であり、図１に示すように、和服掛け用ハンガー軸２対して垂直に取り付けられた支持棒６ａにより、和服掛け用ハンガー軸２の下方に和服掛け用ハンガー軸２と平行方向に設けられている。例えば、付属品掛け用ハンガー軸６は、和服掛け用ハンガー軸２の下方１５ｃｍ程度の位置に、和服掛け用ハンガー軸２の中心部分２ａ以下の寸法となるように設ければよい。使用者は、この付属品掛け用ハンガー軸６に、帯、羽織、コート等の付属品をかけることにより、和服掛け用ハンガー軸２に掛けた和服と一緒に付属品を保管することができる。なお、この付属品掛け用ハンガー軸６も金属、木、プラスチック等の素材で構成される。上記の一例として挙げた付属品のうち、羽織やコートは、和服と重ねて和服掛け用ハンガー軸２に掛けることも可能であるため、これらを和服掛け用ハンガー軸２に掛けるか付属品掛け用ハンガー軸６に掛けるかは、使用者が決めればよい。
【００１７】
付属品保持用部材７は、付属品掛け用ハンガー軸６に掛けられた付属品がずれたり落下したりするのを防ぐために、付属品を保持するために設けられた部材である。例えば、付属品保持用部材７は、支持棒６ａに沿って上下に移動可能な構造となっている。使用者は、付属品保持用部材７を支持棒６ａに沿って上に移動させることにより付属品掛け用ハンガー軸６と付属品保持用部材７との間に空間を作り、そこに付属品を通して付属品掛け用ハンガー軸６に付属品を掛けた後に、付属品保持用部材７を支持棒６ａに沿って下に下ろして付属品と密着させることにより、付属品を付属品掛け用ハンガー軸６と付属品保持用部材７とによって挟んで固定させることができる。これにより、付属品は付属品掛け用ハンガー軸６と付属品保持用部材７との間で固定され、ずれや落下を防止することができる。なお、この付属品保持用部材７も金属、木、プラスチック等の素材で構成される。
【００１８】
図３は、本実施の形態における和服用ハンガー１に和服８と帯９とを掛けた状態を模式的に示した図である。図３では、和服用ハンガー１の和服８で隠れている部分は破線で表しており、和服８で隠れている帯９は一点鎖線で表している。上述したように、和服掛け用ハンガー軸２を伸ばした状態では、両袖を伸ばした状態で和服８を掛けることができるように設計されているため、図３に示すように、和服８は、両袖を伸ばした状態で型崩れなく和服用ハンガー１に掛けられている。また、帯９は、付属品掛け用ハンガー軸６に掛けられて和服８の内側に収納されており、付属品保持用部材７でずれや落下が防止されている。
【００１９】
図４は、本実施の形態における和服用ハンガー１に和服８と帯９とを掛けた状態で和服掛け用ハンガー軸２を折り畳んだ状態を模式的に示した図である。図４では、折り畳み用部材３により袖部分２ｂが中心部分２ａと重なるように前方へ折り畳まれることにより、和服８の両袖が和服の前方で重なるように折り畳まれている。なお、この図４は、図に向かって右側の袖が左側の袖の下側に折り畳まれた例を示している。
【００２０】
このように、使用者は、和服８を和服用ハンガー１にかけたままの状態で和服掛け用ハンガー軸２を折り畳むことにより、和服８を簡単な操作で折り畳んで箪笥やクローゼットに収納することができる。また、付属品掛け用ハンガー軸６に帯９や羽織、コートなどの付属品を掛けて収納できるため、和服８と帯９や羽織、コートなどを好みの組み合わせで和服用ハンガー１にかけて収納することができるため、次回和服を着るときに、容易に好みの組み合わせで和服８と付属品を探し出すことができる。
【００２１】
以上説明した本実施の形態によれば、以下のような作用効果を得ることができる。
（１）和服用ハンガー１は、水平方向に設けられ、その両端のそれぞれに和服の袖を通すことにより和服を両袖を開いた状態で掛けることができる和服掛け用ハンガー軸２と、和服を掛けた状態で室内やタンス内に吊るすためのフック４とを備え、和服掛け用ハンガー軸２は、和服を掛けた状態における袖の幅に対応する位置に和服掛け用ハンガー軸２を前方または後方へ折り畳むための折り畳み用部材３を備えるようにした。これによって、和服掛け用ハンガー軸２を伸ばした状態では、両袖を広げた状態で型崩れを防止して和服を掛けることができるとともに、簡易な操作で和服掛け用ハンガー軸２を折り畳んで、和服用ハンガー１に和服を掛けたままの状態で和服の袖部分を折り畳んで、箪笥やクローゼットに収納することができる。
【００２２】
これにより、従来のように畳んだ和服をたとう紙で包んで収納する場合と比較して、和服の収納を容易に行うことができるため、和服を着る機会が多い人にとっては、その都度和服を畳む必要がなくなり、利便性が高まる。また、従来のように、畳んだ状態で箪笥の引き出しに重ねて収納した場合には、その中から着物を選択するのが困難であった。例えば、着物を選ぶために全て引き出しから取り出し、たとう紙をめくって中身を確認しなければならなかった。これに対して、本実施の形態の和服用ハンガー１を用いて収納すれば、洋服と同じように、箪笥やクローゼット内に掛けられている和服を見ながら選べば良いので、和服を選ぶ際の利便性も向上することになる。
【００２３】
さらに、和服を畳むのが苦手な人や和服の畳み方がわからない人でも、容易に和服を収納することができるため、和服離れを防ぐ効果も期待することができる。また、和服掛け用ハンガー軸２を伸ばした状態では、両袖を開いた状態で和服を掛けることができるため、使用者は、和服を収納する前に、和服の汚れやシミの状態を確認することができ、そのまま箪笥やクローゼットに収納するか、クリーニングに出すかを容易に判断することができる。
【００２４】
（２）和服用ハンガー１は、和服掛け用ハンガー軸２の下方に和服掛け用ハンガー軸２と平行方向に設けられ、帯、羽織、コートといった和服の付属品を掛けるための付属品掛け用ハンガー軸６をさらに備えるようにした。これによって、使用者は、和服用ハンガー１に和服と付属品とを掛けた状態で和服掛け用ハンガー軸２を折り畳んで、和服と付属品をセットで箪笥やクローゼットに収納することができる。また、使用者は、和服と帯や羽織やコートなどを好みの組み合わせで和服用ハンガー１にかけて収納することができるため、次回和服を着るときに、容易に好みの組み合わせで和服と付属品を探し出すことができる。
【００２５】
（３）付属品掛け用ハンガー軸６に掛けた付属品を保持するための保持用部材７をさらに備えるようにした。これによって、付属品掛け用ハンガー軸６に掛けられた付属品のずれや落下を防止することができる。
【００２６】
（４）和服掛け用ハンガー軸２の中央に設けられ、和服の襟の型崩れを防止するための円弧状上の襟保持用部材５をさらに備えるようにした。これによって、和服用ハンガー１に掛けられた和服の襟が型崩れするのを防止することができる。
【００２７】
―変形例―
なお、上述した実施の形態の和服用ハンガーは、以下のように変形することもできる。
（１）上述した実施の形態では、和服掛け用ハンガー軸２は、和服用ハンガーを吊した状態において、水平方向に設けられ、その両端のそれぞれに和服の袖を通すことにより和服を袖を開いた状態で掛けることができるように構成されている例について説明した。この場合、和服掛け用ハンガー軸２の両端に小物掛け用の部材を取り付けるようにしてもよい。また、この小物掛け用の部材を袖の位置ずれ防止を兼ねるようにしてもよい。例えば、図５に示す例では、和服掛け用ハンガー軸２の両端にハートの形状を模した部材１０を取り付けた例を示している。このように和服掛け用ハンガー軸２の両端に部材１０を取り付けることにより、和服の袖口が部材１０に接触して袖が和服掛け用ハンガー軸２から抜けるのを防止することができる。また、和服掛け用ハンガー軸２の部材１０よりも内側に匂い袋やアクセサリーを吊り下げることができ、これらも部材１０に接触して和服掛け用ハンガー軸２から落下することを防止することができる。さらに、図５に示すように部材１０としてハートの形状を模した部材を装飾的に取り付けることにより、和服用ハンガー１のデザイン性を向上させることができる。
【００２８】
なお、図５では、部材１０としてハートの形状を模した部材を用いる例について説明したが、これに限定されるものではなく、小物掛け用の部材として機能する部材であれば、その形状は限定されない。例えば、スペード型、星型、花型等の他の形状を模したものでもよく、建物の形状、果物の形状、乗り物の形状などを模したものでもよいし、四角形、三角形、円形の部材を用いてもよい。また、図５では和服掛け用ハンガー軸２の両端にのみハート型の部材１０を設ける例について説明したが、付属品掛け用ハンガー軸６の両端にも部材１０を設けて、和服用ハンガー１のデザイン性をより向上させるようにしてもよい。
【００２９】
（２）上述した実施の形態では、和服掛け用ハンガー軸２を伸ばした状態では、袖を伸ばした状態で和服を掛けることができ、和服掛け用ハンガー軸２を折り畳んだ状態では、両袖が折り畳まれるとともに、その時の和服掛け用ハンガー軸２の寸法が箪笥やクローゼットの一般的な奥行内に収まる寸法となるように設計されている例について説明した。しかしながら、両袖を開いて和服掛け用ハンガー軸２に掛けた状態における和服の横幅は必ずしも一定ではなく、和服の寸法によって異なるのが一般的である。このため、上述した和服用ハンガー１においては、和服掛け用ハンガー軸２に和服掛け用ハンガー軸の長さを調整するための長さ調整機構を備えるようにしてもよい。ここでは、上述したように和服掛け用ハンガー軸２の材質を、金属を芯としその周囲をプラスチックで覆う構成として、和服掛け用ハンガー軸２の中心部分２ａを構成する芯の両端と、袖部分２ｂを構成する芯の一方の端に蝶番を付ける構造とした場合を例に、図６を用いて長さ調整機構の一例について説明する。
【００３０】
図６は、和服掛け用ハンガー軸２における中心部分２ａの芯６ａと、袖部分２ｂの芯６ｂとが折り畳み用部材３である蝶番によって接続された例を示している。この図６に示す例では、芯６ａが中心部分２ａ内でスライドすることにより一定の長さ伸縮し、芯６ｂが袖部分２ｂ内でスライドすることにより一定の長さ伸縮することにより、和服掛け用ハンガー軸２の長さを調整することができるようになっている。具体的には、図６（ａ）に示すように、芯６ａと芯６ｂを中心部分２ａ内と袖部分２ｂ内でそれぞれスライドさせて、中心部分２ａと袖部分２ｂの距離６ｃを短くすることによって、和服掛け用ハンガー軸２の長さを短く調整することができる。一方、図６（ｂ）に示すように、芯６ａと芯６ｂを中心部分２ａ内と袖部分２ｂ内でそれぞれスライドさせて、中心部分２ａと袖部分２ｂの距離６ｄを長くすることによって、和服掛け用ハンガー軸２の長さを長く調整することができる。例えば、芯６ａと芯６ｂのスライド幅がそれぞれ２．５ｃｍになるように構成すれば、片方の中心部分２ａと袖部分２ｂの結合部で５ｃｍの範囲で長さ調整が可能であり、和服掛け用ハンガー軸２全体としては１０ｃｍの範囲で長さの調節が可能となる。
【００３１】
（３）上述した実施の形態では、和服用ハンガー１は、和服掛け用ハンガー軸２と、折り畳み用部材３と、フック４と、襟保持用部材５と、付属品掛け用ハンガー軸６と、付属品保持用部材７とを備える例について説明した。しかしながら、和服用ハンガー１は、和服掛け用ハンガー軸２と、折り畳み用部材３と、フック４のみを備えるようにしてもよい。これは、少なくとも和服掛け用ハンガー軸２と、折り畳み用部材３と、フック４とを備えていれば、本発明による和服用ハンガー１の目的を達成することができるためである。すなわち、和服用ハンガー１は、和服掛け用ハンガー軸２と、折り畳み用部材３と、フック４とを備えていれば、和服掛け用ハンガー軸２を伸ばした状態では、両袖を広げた状態で型崩れを防止して和服を掛けることができるとともに、簡易な操作で和服掛け用ハンガー軸２を折り畳んで、和服用ハンガー１に和服を掛けたままの状態で和服の袖部分を折り畳んで、箪笥やクローゼットに収納することができるという効果を得ることができる。なお、襟保持用部材５と、付属品掛け用ハンガー軸６と、付属品保持用部材７は、和服用ハンガー１の機能性や使用者の利便性をさらに向上させるための部材であるため、これらも備えることが好ましい。
【００３２】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【００３３】
１  和服用ハンガー、２  和服掛け用ハンガー軸、３  折り畳み用部材、４  フック、５  襟保持用部材、６  付属品掛け用ハンガー軸、７  付属品保持用部材、８  和服、９  帯
【図１】
2014104072.tif 000003
【図２】
2014104072.tif 000004
【図３】
2014104072.tif 000005
【図４】
2014104072.tif 000006
【図５】
2014104072.tif 000007
【図６】
2014104072.tif 000008